(57)【特許請求の範囲】
【請求項１】
供給された水を加熱して給湯する給湯熱交換器と、循環ポンプの駆動により追い焚き循環通路を介して供給された浴槽湯水を加熱して浴槽湯水の追い焚きを行う追い焚き熱交換器とが設けられ、また、上記追い焚き循環通路の湯水温度を検出する追い焚き循環通路温度検出手段と上記給湯熱交換器の湯水温度を検出する給湯熱交換器温度検出手段のうちの一方又は両方の温度検出手段が設けられており、上記給湯熱交換器と追い焚き熱交換器は一体化され、これら給湯熱交換器と追い焚き熱交換器を共通に燃焼加熱するバーナと、該バーナへ空気を供給する燃焼ファンとを備えた一缶二水路風呂給湯器において、給湯単独運転が終了した直後に循環ポンプ駆動指令が発せられたときには、燃焼ファンを駆動させ燃焼ファンの駆動による送風によって追い焚き熱交換器内の湯水を冷却する熱交換器湯温冷却制御部と；上記設けられている温度検出手段の少なくとも１つにより検出される湯温が追い焚き熱交換器内から浴槽へ高温湯噴出の虞がなくなったと判断するための予め定められたしきい値温度よりも低下するまで循環ポンプの駆動を禁止するポンプ駆動禁止制御部と；が設けられていることを特徴とした一缶二水路風呂給湯器。
【請求項２】
供給された水を加熱して給湯する給湯熱交換器と、循環ポンプの駆動により追い焚き循環通路を介して供給された浴槽湯水を加熱して浴槽湯水の追い焚きを行う追い焚き熱交換器とが設けられ、また、上記追い焚き循環通路の湯水温度を検出する追い焚き循環通路温度検出手段と上記給湯熱交換器の湯水温度を検出する給湯熱交換器温度検出手段のうちの一方又は両方の温度検出手段が設けられており、上記給湯熱交換器と追い焚き熱交換器は一体化され、これら給湯熱交換器と追い焚き熱交換器を共通に燃焼加熱するバーナと、該バーナへ空気を供給する燃焼ファンとを備えた一缶二水路風呂給湯器において、給湯単独運転が終了した直後に循環ポンプ駆動指令が発せられたときには、燃焼ファンを駆動させ燃焼ファンの駆動による送風によって追い焚き熱交換器内の湯水を冷却する熱交換器湯温冷却制御部と；上記設けられている温度検出手段の少なくとも１つに基づき追い焚き熱交換器内の湯温を推定検出する追い焚き熱交換器温度推定検出手段と；が設けられており、ポンプ駆動禁止制御部は、給湯単独運転が終了した直後に循環ポンプ駆動指令が発せられたときには、上記追い焚き熱交換器温度推定検出手段により検出される湯温が追い焚き熱交換器内から浴槽へ高温湯噴出の虞がなくなったと判断するための予め定めたしきい値温度よりも低下するまで循環ポンプの駆動を禁止することを特徴とした一缶二水路風呂給湯器。
【請求項３】
供給された水を加熱して給湯する給湯熱交換器と、循環ポンプの駆動により追い焚き循環通路を介して供給された浴槽湯水を加熱して浴槽湯水の追い焚きを行う追い焚き熱交換器とが設けられ、また、追い焚き熱交換器内の温度を検出する追い焚き熱交換器温度検出手段が設けられており、上記給湯熱交換器と追い焚き熱交換器は一体化され、これら給湯熱交換器と追い焚き熱交換器を共通に燃焼加熱するバーナと、該バーナへ空気を供給する燃焼ファンとを備えた一缶二水路風呂給湯器において、給湯単独運転が終了した直後に循環ポンプ駆動指令が発せられたときには、燃焼ファンを駆動させ燃焼ファンの駆動による送風によって追い焚き熱交換器内の湯水を冷却する熱交換器湯温冷却制御部と；上記追い焚き熱交換器温度検出手段により検出された湯温が追い焚き熱交換器内から浴槽へ高温湯噴出の虞がなくなったと判断するための予め定められたしきい値温度よりも低下するまで循環ポンプの駆動を禁止するポンプ駆動禁止制御部と；が設けられていることを特徴とした一缶二水路風呂給湯器。
【請求項４】
ポンプ駆動禁止制御部により循環ポンプの駆動が禁止されているときには浴槽への高温湯吐出を回避するために循環ポンプが停止していることを報知する報知手段が設けられていることを特徴とする請求項１又は請求項２又は請求項３記載の一缶二水路風呂給湯器。
【発明の詳細な説明】
【０００１】
【発明の属する技術分野】
本発明は、給湯熱交換器と追い焚き熱交換器とが一体化され、これら給湯熱交換器と追い焚き熱交換器とを共通に燃焼加熱するバーナが設けられている一缶二水路タイプの風呂給湯器に関するものである。
【０００２】
【従来の技術】
図２には一缶二水路風呂給湯器（器具）のモデル例が示されている。この器具は、器具ケース１内に燃焼室２を有し、この燃焼室２内にはバーナ３が設けられている。バーナ３には該バーナ３へ燃料ガスを導くためのガス供給通路４が接続され、このガス供給通路４には通路の開閉を行う電磁弁５，６と、弁開度によって燃料ガスの供給量を制御する比例弁８とが介設されている。
【０００３】
上記バーナ３の上方には給湯熱交換器１０が設けられ、この給湯熱交換器１０の入側には給水通路１１の一端側が接続され、給水通路１１の他端側は外部配管を介して水供給源に接続されている。給湯熱交換器１０の出側には給湯通路１２の一端側が接続され、給湯通路１２の他端側は外部配管を介して台所やシャワー等の給湯場所に連通されている。
【０００４】
上記給湯熱交換器１０の上側には追い焚き熱交換器１４が給湯熱交換器１０と一体的に設けられ、この追い焚き熱交換器１４の入側には戻り管１５の一端側が接続され、この戻り管１５の他端側は外部配管を介して浴槽１７に連通されており、追い焚き熱交換器１４の出側には通路１６の一端側が接続され、通路１６の他端側は循環ポンプ１８の吸入口に接続されている。循環ポンプ１８の吐出口には往管２０の一端側が接続され、往管２０の他端側は外部配管を介して浴槽１７に連通されている。上記戻り管１５と追い焚き熱交換器１４と通路１６と循環ポンプ１８と往管２０とにより浴槽１７の浴槽湯水を追い焚き循環させるための追い焚き循環通路２１が構成されている。
【０００５】
上記給湯通路１２と追い焚き循環通路２１を連通接続する湯張り通路２２が設けられており、この湯張り通路２２には通路の開閉を行う注湯制御弁２４が介設されている。
【０００６】
上記バーナ３よりも下方側の燃焼室２には燃焼ファン２５が介設された給気通路２６が連通接続されている。また、追い焚き熱交換器１４よりも上方側の燃焼室２にはバーナ３の燃焼によって生じた排気ガスを外部に送出するための排気通路２７が連通接続されている。
【０００７】
なお、図２に示す２８は給水通路１１を流れる通水流量を検出する水量センサを表し、３０は給水通路１１の湯水温度を検出する入水サーミスタを表し、３１は給湯熱交換器１０の出側の湯水温度を検出する給湯熱交換器温度検出手段としての給湯熱交サーミスタを表し、３２は浴槽水位を水圧により検出する水位センサを表し、３３は追い焚き循環通路２１の湯水温度を風呂温度として検出する風呂温度センサを表し、３４は追い焚き熱交換器１４の出側の湯水温度を検出する追い焚き循環通路温度検出手段としての追い焚き熱交サーミスタを表している。
【０００８】
この一缶二水路風呂給湯器には給湯や、湯張りや、追い焚きや、保温等の器具運転を制御する制御装置３５が設けられ、この制御装置３５にはリモコン３６が信号接続されている。リモコン３６には給湯温度を設定する給湯温度設定手段や、風呂の温度を設定する風呂温度設定手段や、風呂の水位を設定する水位設定手段等が設けられている。
【０００９】
上記制御装置３５は給湯運転を次のように制御する。例えば、台所やシャワー等の給湯栓（図示せず）が開栓され、水量センサ２８が予め定めた給湯運転作動流量以上の通水流量を検知すると、燃焼ファン２５の駆動を開始し給気通路２６を介してバーナ３に給気を供給すると共に、電磁弁５，６を開けてバーナ３に燃料ガスを供給し、バーナ３の燃焼を開始させ、給湯される湯の温度がリモコン３６に設定されている給湯設定温度となるようにバーナ３の燃焼熱量制御および燃焼ファン２５の回転制御を行い、給水通路１１から供給された水を給湯熱交換器１０がバーナ３の燃焼火炎の熱により加熱して湯を作り出し、その湯を給湯通路１２を介して給湯する。そして、給湯栓が閉められ、水量センサ２８が通水停止を検知したときに、電磁弁５，６を閉弁してバーナ３の燃焼を停止し、その後、予め定めた期間燃焼ファン２５の継続駆動を行わせ、次の給湯運転に備える。
【００１０】
また、湯張り運転を行うときには、注湯制御弁２４を開弁し、給湯熱交換器１０で上記同様に湯を作り出し、その湯を給湯通路１２と湯張り通路２２と追い焚き循環通路２１とを順に介して浴槽１７に注湯する。そして、水位センサ３２により検出される浴槽水位がリモコン３６に設定されている設定水位に達したときに、注湯制御弁２４を閉弁しバーナ３の燃焼を停止して湯張り運転を終了する。
【００１１】
さらに、追い焚き運転を行うときには、循環ポンプ１８を駆動し、浴槽１７から戻り管１５と追い焚き熱交換器１４と通路１６と循環ポンプ１８と往管２０とを順に介して浴槽１７に戻る追い焚き循環経路で浴槽湯水を循環させると共に、バーナ３を燃焼させ該バーナ３の燃焼火炎の熱によって追い焚き熱交換器１４で浴槽湯水の追い焚きを行い、風呂温度センサ３３により検出される風呂温度がリモコン３６に設定されている風呂設定温度に達したときにバーナ３の燃焼を停止し、また、循環ポンプ１８を停止して追い焚き運転を終了する。
【００１２】
さらに、保温機能が備えられている場合には、例えば、上記追い焚き運転の終了後、予め定めた時間間隔（例えば、３０分間隔）毎に循環ポンプ１８を駆動し、風呂温度センサ３３により風呂の温度を検出し、この検出した風呂の温度が風呂設定温度から予め定めた許容温度を越えて低いときには、バーナ３を燃焼させ、浴槽湯水の追い焚きを行って風呂の湯温を設定温度に高めて風呂の保温を行う。
【００１３】
【発明が解決しようとする課題】
ところで、一缶二水路風呂給湯器では、上記の如く、給湯熱交換器１０と追い焚き熱交換器１４は一体化され、これら一体化した熱交換器は共通のバーナ３によって燃焼加熱されることから、追い焚き運転が行われておらず給湯運転のみが行われる給湯単独運転中には、追い焚き熱交換器１４に湯水が滞留しているのにも拘らず、バーナ３の給湯燃焼によって追い焚き熱交換器１４が加熱され、つまり、追い焚き熱交換器１４内の滞留湯水が加熱されて沸騰に近い状態になる場合がある。  このように、給湯単独運転に起因して高温に加熱された追い焚き熱交換器１４内の湯が、給湯単独運転が終了した直後に、例えば、保温運転等によって循環ポンプ１８が駆動されて浴槽１７に噴出すると、浴槽１７に入浴者がいた場合には、その噴出した高温の湯が入浴者の体に当たり、火傷等の危害を与える虞があり、非常に危険である。
【００１４】
本発明は上記課題を解決するためになされたものであり、その目的は、給湯単独運転終了直後に循環ポンプが駆動することによる高温湯噴出の危険を防止できる一缶二水路風呂給湯器を提供することにある。
【００１５】
【課題を解決するための手段】
上記目的を達成するために、この発明は次のような構成をもって前記課題を解決する手段としている。すなわち、第１の発明は、供給された水を加熱して給湯する給湯熱交換器と、循環ポンプの駆動により追い焚き循環通路を介して供給された浴槽湯水を加熱して浴槽湯水の追い焚きを行う追い焚き熱交換器とが設けられ、また、上記追い焚き循環通路の湯水温度を検出する追い焚き循環通路温度検出手段と上記給湯熱交換器の湯水温度を検出する給湯熱交換器温度検出手段のうちの一方又は両方の温度検出手段が設けられており、上記給湯熱交換器と追い焚き熱交換器は一体化され、これら給湯熱交換器と追い焚き熱交換器を共通に燃焼加熱するバーナと、該バーナへ空気を供給する燃焼ファンとを備えた一缶二水路風呂給湯器において、給湯単独運転が終了した直後に循環ポンプ駆動指令が発せられたときには、燃焼ファンを駆動させ燃焼ファンの駆動による送風によって追い焚き熱交換器内の湯水を冷却する熱交換器湯温冷却制御部と；上記設けられている温度検出手段の少なくとも１つにより検出される湯温が追い焚き熱交換器内から浴槽へ高温湯噴出の虞がなくなったと判断するための予め定められたしきい値温度よりも低下するまで循環ポンプの駆動を禁止するポンプ駆動禁止制御部と；が設けられている構成をもって前記課題を解決する手段としている。
【００１６】
第２の発明は、供給された水を加熱して給湯する給湯熱交換器と、循環ポンプの駆動により追い焚き循環通路を介して供給された浴槽湯水を加熱して浴槽湯水の追い焚きを行う追い焚き熱交換器とが設けられ、また、上記追い焚き循環通路の湯水温度を検出する追い焚き循環通路温度検出手段と上記給湯熱交換器の湯水温度を検出する給湯熱交換器温度検出手段のうちの一方又は両方の温度検出手段が設けられており、上記給湯熱交換器と追い焚き熱交換器は一体化され、これら給湯熱交換器と追い焚き熱交換器を共通に燃焼加熱するバーナと、該バーナへ空気を供給する燃焼ファンとを備えた一缶二水路風呂給湯器において、給湯単独運転が終了した直後に循環ポンプ駆動指令が発せられたときには、燃焼ファンを駆動させ燃焼ファンの駆動による送風によって追い焚き熱交換器内の湯水を冷却する熱交換器湯温冷却制御部と；上記設けられている温度検出手段の少なくとも１つに基づき追い焚き熱交換器内の湯温を推定検出する追い焚き熱交換器温度推定検出手段と；が設けられており、ポンプ駆動禁止制御部は、給湯単独運転が終了した直後に循環ポンプ駆動指令が発せられたときには、上記追い焚き熱交換器温度推定検出手段により検出される湯温が追い焚き熱交換器内から浴槽へ高温湯噴出の虞がなくなったと判断するための予め定めたしきい値温度よりも低下するまで循環ポンプの駆動を禁止する構成をもって前記課題を解決する手段としている。
【００１７】
第３の発明は、供給された水を加熱して給湯する給湯熱交換器と、循環ポンプの駆動により追い焚き循環通路を介して供給された浴槽湯水を加熱して浴槽湯水の追い焚きを行う追い焚き熱交換器とが設けられ、また、追い焚き熱交換器内の温度を検出する追い焚き熱交換器温度検出手段が設けられており、上記給湯熱交換器と追い焚き熱交換器は一体化され、これら給湯熱交換器と追い焚き熱交換器を共通に燃焼加熱するバーナと、該バーナへ空気を供給する燃焼ファンとを備えた一缶二水路風呂給湯器において、給湯単独運転が終了した直後に循環ポンプ駆動指令が発せられたときには、燃焼ファンを駆動させ燃焼ファンの駆動による送風によって追い焚き熱交換器内の湯水を冷却する熱交換器湯温冷却制御部と；上記追い焚き熱交換器温度検出手段により検出された湯温が追い焚き熱交換器内から浴槽へ高温湯噴出の虞がなくなったと判断するための予め定められたしきい値温度よりも低下するまで循環ポンプの駆動を禁止するポンプ駆動禁止制御部と；が設けられている構成をもって前記課題を解決する手段としている。
【００１８】
第４の発明は、上記第１又は第２又は第３の発明の構成に加えて、ポンプ駆動禁止制御部により循環ポンプの駆動が禁止されているときには浴槽への高温湯吐出を回避するために循環ポンプが停止していることを報知する報知手段が設けられている構成をもって前記課題を解決する手段としている。
【００１９】
上記構成の発明において、例えば、給湯単独運転が終了した直後に循環ポンプ駆動指令が発せられたときには、熱交換器湯温冷却制御部は、燃焼ファンを駆動させて追い焚き熱交換器に風を送る。この送風によって追い焚き熱交換器および該追い焚き熱交換器内の湯は冷却される。また、ポンプ駆動禁止制御部は、給湯熱交換器温度検出手段により検出される湯温が予め定めたしきい値温度（つまり、追い焚き熱交換器内の湯温が浴槽への高温湯噴出の虞がなくなったと給湯熱交換器温度検出手段の検出湯温に基づいて推定できる温度）よりも低下するまで、循環ポンプの駆動を禁止する。
【００２０】
浴槽に噴出しても危険のない温度に追い焚き熱交換器内の湯温が低下するまで循環ポンプの駆動を禁止することができることから、給湯単独運転に起因して高温に加熱された追い焚き熱交換器内の湯が循環ポンプの駆動によって浴槽に噴出するという問題が回避される。また、燃焼ファンの駆動による送風によって追い焚き熱交換器内の湯の冷却が促進されるので、追い焚き熱交換器内の湯が浴槽に噴出しても安全な湯温に低下するまでに多くの時間を要せず、循環ポンプの禁止時間は短くて済む。
【００２１】
【発明の実施の形態】
以下に、この発明に係る実施形態例を図面に基づき説明する。
【００２２】
第１の実施形態例の一缶二水路風呂給湯器は図２に示すシステム構成を有し、特徴的なことは、給湯単独運転に起因して高温に加熱された追い焚き熱交換器内の湯が、給湯単独運転が終了した直後に循環ポンプの駆動によって浴槽に噴出するのを防止する制御構成を備えたことである。なお、図２の一缶二水路風呂給湯器のシステム構成の説明は前述したので、その重複説明は省略する。
【００２３】
この実施形態例では、制御装置３５は、図１の実線に示すように、燃焼制御部４０と熱交換器湯温冷却制御部４１と給湯単独運転監視部４２とポンプ駆動禁止制御部４３とを有して構成されている。
【００２４】
燃焼制御部４０には給湯や湯張りや追い焚きや保温等の器具運転を行うためのシーケンスプログラムが予め定め与えられており、燃焼制御部４０は、水量センサ２８等の各種のセンサ出力の情報と、給湯設定温度等のリモコン３６の情報とを時々刻々と取り込み、これら取り込んだ情報に基づき上記シーケンスプログラムに従って器具運転を前述したように制御する。
【００２５】
給湯単独運転監視部４２は上記燃焼制御部４０の動作情報を取り込み、給湯単独運転が行われているか否かを監視する。すなわち、循環ポンプ１８が停止し注湯制御弁２４が閉弁している状態で、バーナ３の燃焼火炎がフレームロッド電極（図示せず）等により検知されているとき（又は、水量センサ２８により通水が検知されているとき）には、給湯単独運転が行われていると判断し、それ以外のときには給湯単独運転は行われていないと判断する。
【００２６】
熱交換器湯温冷却制御部４１は燃焼制御部４０の動作情報と、給湯単独運転監視部４２の監視情報とを時々刻々と取り込み、これら取り込んだ情報に基づき、給湯単独運転が終了した直後に保温運転や追い焚き運転等によって循環ポンプ１８の駆動指令が発せられたことを検知したときには、燃焼ファン２５を予め定めた回転数（例えば、予め定めた最大燃焼熱量でバーナ３を燃焼させるときのファン回転数（又はファン風量））でもって回転駆動させる。
【００２７】
この燃焼ファン２５の駆動によって、ほぼ給気温度の送風が給湯熱交換器１０および追い焚き熱交換器１４に吹き付けられ、給湯燃焼により加熱された給湯熱交換器１０および追い焚き熱交換器１４の熱量がファン送風により奪われて追い焚き熱交換器１４内の湯の冷却が促進される。通常、バーナ３の燃焼を停止させた後には、引き続き燃焼ファン２５を予め定めた時間（例えば、５分間）継続駆動させ、燃焼室２内の排気ガスを排出するポストパージが行われるが、このポストパージ中の送風量は非常に少なく、このために、ポストパージ中の送風によって追い焚き熱交換器１４内の湯の冷却促進の効果は殆ど得られない。
【００２８】
この実施形態例では、給湯単独運転終了直後に循環ポンプ１８の駆動指令が発せられたときに、燃焼ファン２５の駆動による送風によって、追い焚き熱交換器１４内の湯を効果的に冷却することが可能なファン回転数（又はファン風量）を予め定めておき、上記の如く、熱交換器湯温冷却制御部４１は、給湯単独運転が終了した直後に循環ポンプ１８の駆動指令が発せられたときには、上記予め定めた回転数（ファン風量）でもって燃焼ファン２５を駆動させ、追い焚き熱交換器１４の湯を効果的に冷却する。
【００２９】
ポンプ駆動禁止制御部４３は、給湯単独運転が終了した直後に循環ポンプ１８の駆動指令が発せられたときに、給湯単独運転により高温に加熱された追い焚き熱交換器１４内の湯が浴槽１７に噴出しても入浴者に火傷等の危害を加える虞がなくなる温度に低下するまで、循環ポンプ１８の駆動を禁止する構成を有している。
【００３０】
ところで、追い焚き熱交換器１４内の湯温は、追い焚き熱交サーミスタ３４により検出される湯温Ｔhoに基づき、推定することが可能である。また、給湯熱交換器１０と追い焚き熱交換器１４は一体化していることから、給湯熱交換器１０と追い焚き熱交換器１４間で熱量の遣り取りが行われるので、給湯熱交換器１０側の湯温（つまり、給湯熱交サーミスタ３１により検出される湯温Ｔko）に基づき追い焚き熱交換器１４内の湯温を推定検出することが可能である。
【００３１】
このことから、この実施形態例では、上記給湯熱交サーミスタ３１により検出される湯温Ｔkoと、追い焚き熱交サーミスタ３４により検出される湯温Ｔhoとに基づき、ポンプ駆動禁止制御部４３は、給湯単独運転終了後に循環ポンプ１８の駆動指令が発せられたときには、追い焚き熱交換器１４内の湯が高温湯噴出の危険な温度であるか否かを判断し、追い焚き熱交換器１４内の湯が高温湯噴出の虞がない温度に低下するまで、循環ポンプ１８の駆動を禁止する構成にした。
【００３２】
具体的には、給湯熱交サーミスタ３１により検出される湯温Ｔkoに対するしきい値温度Ｔksと、追い焚き熱交サーミスタ３４により検出される湯温Ｔhoに対するしきい値温度Ｔhsとを次に示すように予め求めてポンプ駆動禁止制御部４３に与えておく。浴槽１７への高温湯噴出の虞があるか否かを判断するための追い焚き熱交換器１４内の湯温Ｔsp（例えば、６０℃）は予め定めることができ、給湯単独運転終了後の循環ポンプ１８の停止中に（つまり、追い焚き循環通路２１に湯水が滞留している状態で）、追い焚き熱交換器１４内の湯が上記湯温Ｔspであるときに追い焚き熱交サーミスタ３４により検出される温度Ｔhsを予め実験や演算等によって求め、この求めた温度Ｔhsを追い焚き熱交サーミスタ３４の検出湯温Ｔhoに対するしきい値温度として、ポンプ駆動禁止制御部４３に与えておく。
【００３３】
また、給湯単独運転終了後に給湯熱交換器１０内に湯水が滞留している状態で、追い焚き熱交換器１４内の湯が上記湯温Ｔspであるときに給湯熱交サーミスタ３１により検出される湯温Ｔksを予め実験や演算等によって求め、この求めた湯温Ｔksを給湯熱交サーミスタ３１の検出湯温Ｔkoに対するしきい値温度としてポンプ駆動禁止制御部４３に与えておく。
【００３４】
もちろん、上記しきい値温度Ｔks，Ｔhsを求める際には、給湯熱交換器１０と追い焚き熱交換器１４の缶体の大きさや、給湯熱交換器１０と給湯熱交サーミスタ３１の配設位置との間の間隔や、追い焚き熱交換器１４とポンプ駆動禁止制御部４３の配設位置との間の間隔等が考慮されて求められる。
【００３５】
ポンプ駆動禁止制御部４３は上記燃焼制御部４０の動作情報と、給湯単独運転監視部４２の監視情報と、給湯熱交サーミスタ３１により検出される湯温情報と、追い焚き熱交サーミスタ３４により検出される湯温情報とを時々刻々取り込み、取り込む度に上記給湯熱交サーミスタ３１の検出湯温Ｔkoを上記対応するしきい値温度Ｔksに比較し、また、追い焚き熱交サーミスタ３４の検出湯温Ｔhoを上記対応するしきい値温度Ｔhsに比較し、上記燃焼制御部４０と給湯単独運転監視部４２の情報に基づき給湯単独運転が終了した直後に循環ポンプ１８の駆動指令が発せられたと検知したときに、給湯熱交サーミスタ３１の検出湯温Ｔkoがしきい値温度Ｔks以上であるか、又は、追い焚き熱交サーミスタ３４の検出湯温Ｔhoがしきい値温度Ｔhs以上であるときには、追い焚き熱交換器１４内の湯は浴槽１７に噴出すると入浴者に火傷等の危害を加える虞がある湯温であると判断し、この状態で循環ポンプ１８の駆動を開始すると前記高温湯噴出の危険があると判断して、循環ポンプ１８の駆動開始を禁止させるためのポンプ駆動禁止信号を燃焼制御部４０に出力し、燃焼制御部４０による循環ポンプ１８の駆動開始動作を延期させる。
【００３６】
ポンプ駆動禁止制御部４３は、引き続き給湯熱交サーミスタ３１の検出湯温Ｔkoと追い焚き熱交サーミスタ３４の検出湯温Ｔhoの取り込みを時々刻々と行い、給湯熱交サーミスタ３１の検出湯温Ｔkoと追い焚き熱交サーミスタ３４の検出湯温Ｔhoの両方がそれぞれ対応するしきい値温度Ｔks，Ｔhsよりも低下するまで、ポンプ駆動禁止信号の出力を継続して行い、循環ポンプ１８の駆動禁止状態を続けさせる。換言すれば、給湯熱交サーミスタ３１の検出湯温Ｔkoと追い焚き熱交サーミスタ３４の検出湯温Ｔhoの両方がそれぞれ対応するしきい値温度Ｔks，Ｔhsよりも低下したときに、追い焚き熱交換器１４内の湯温は浴槽への高温湯噴出の危険がない安全な湯温に低下したと判断でき、燃焼制御部４０は、上記ポンプ駆動禁止制御部４３からの継続的なポンプ駆動禁止信号の出力が停止したときに、循環ポンプ１８の駆動を開始する。
【００３７】
また、ポンプ駆動禁止制御部４３は、ポンプ駆動禁止信号の出力を停止したときに、空冷停止信号を熱交換器湯温冷却制御部４１に出力し、熱交換器湯温冷却制御部４１による燃焼ファン２５の回転制御を終了させる。
【００３８】
この実施形態例によれば、給湯単独運転が終了した直後に循環ポンプ１８の駆動指令が発せられたときには、給湯熱交サーミスタ３１の検出湯温Ｔkoと追い焚き熱交サーミスタ３４の検出湯温Ｔhoとに基づき、追い焚き熱交換器１４内の湯が浴槽１７への高温湯噴出の危険がない湯温に低下したと判断されるまで、ポンプ駆動禁止制御部４３によって循環ポンプ１８の駆動が禁止されるので、給湯単独運転終了直後の循環ポンプ１８の駆動に起因した高温湯噴出の問題、つまり、給湯単独運転に起因して高温に加熱された追い焚き熱交換器１４内の湯が給湯単独運転終了直後の循環ポンプ１８の駆動により浴槽１７に噴出して入浴者に火傷等の危害を加える虞があるという問題を確実に回避することができる。
【００３９】
また、上記の如く、給湯熱交サーミスタ３１と追い焚き熱交サーミスタ３４により検出される湯温に基づいて、ポンプ駆動禁止制御部４３による循環ポンプ１８の駆動禁止制御が行われるので、追い焚き熱交換器１４内の湯が高温であるのに循環ポンプ１８の駆動禁止制御が終了して循環ポンプ１８の駆動が開始されてしまい上記高温湯噴出の問題が生じたり、追い焚き熱交換器１４内の湯が十分安全な湯温に低下したのにも拘らず、循環ポンプ１８の駆動禁止制御が継続され、無駄な禁止時間があるというような問題が回避できる適切なタイミングで循環ポンプ１８の駆動禁止制御を終了させ循環ポンプ１８の駆動開始を行わせることが可能である。
【００４０】
その上、熱交換器湯温冷却制御部４１を設け、給湯単独運転が終了した直後に循環ポンプ１８の駆動指令が発せられたときには、熱交換器湯温冷却制御部４１により燃焼ファン２５を駆動させ、ファン送風によって追い焚き熱交換器１４の湯の冷却を促進するので、追い焚き熱交換器１４内の湯が浴槽１７への高温湯噴出の虞がない湯温に低下するまでの時間を短縮することができる。このことから、上記ポンプ駆動禁止制御部４３による循環ポンプ１８の駆動禁止時間の短縮を図ることができる。
【００４１】
以下に、第２の実施形態例を説明する。この実施形態例では、図１の鎖線に示す追い焚き熱交換器温度推定検出手段４４を設け、該追い焚き熱交換器温度推定検出手段４４によって追い焚き熱交換器１４内の湯温を演算等によって推定検出し、この追い焚き熱交換器温度推定検出手段４４により推定検出された追い焚き熱交換器１４の湯温に基づき、ポンプ駆動禁止制御部４３による循環ポンプ１８の駆動禁止制御が行われることを特徴としており、それ以外の構成は前記第１の実施形態例と同様であり、その共通部分の重複説明は省略する。
【００４２】
追い焚き熱交換器温度推定検出手段４４には、給湯熱交サーミスタ３１により検出される湯温Ｔkoと追い焚き熱交サーミスタ３４により検出される湯温Ｔhoとの一方又は両方に基づいて追い焚き熱交換器１４内の湯温を推定検出するための湯温推定検出データがグラフデータや演算式データや表データのデータ形式で予め定め与えられており、追い焚き熱交換器温度推定検出手段４４は、給湯熱交サーミスタ３１の検出湯温Ｔko又は追い焚き熱交サーミスタ３４の検出湯温Ｔhoを時々刻々と取り込み、これら取り込んだ湯温と上記湯温推定検出データとに基づいて追い焚き熱交換器１４内の湯温を推定検出し、追い焚き熱交換器１４内の湯温を推定検出する度に、その推定検出した追い焚き熱交換器１４内の湯温Ｔhfの情報をポンプ駆動禁止制御部４３に出力する。
【００４３】
ポンプ駆動禁止制御部４３には、追い焚き熱交換器１４内の湯が浴槽１７へ噴出すると入浴者に火傷等の危害を加える虞がある温度であるか否かを判断するためのしきい値温度Ｔspが予め与えられており、ポンプ駆動禁止制御部４３は、推定検出された追い焚き熱交換器１４内の湯温Ｔhfを上記追い焚き熱交換器温度推定検出手段４４から受け取る度に、その推定湯温Ｔhfを上記しきい値温度Ｔspに比較し、上記推定検出湯温Ｔhfがしきい値温度Ｔsp以上であるときには高温湯噴出の危険の虞があると判断し、このように高温湯噴出の虞があると判断されている状態で、給湯単独運転が終了した直後に循環ポンプ１８の駆動指令が発せられたときには、上記第１の実施形態例同様に、ポンプ駆動禁止信号を燃焼制御部４０に出力して循環ポンプ１８の駆動開始を延期させる。
【００４４】
そして、ポンプ駆動禁止制御部４３は、引き続き追い焚き熱交換器温度推定検出手段４４により検出される追い焚き熱交換器１４の推定検出温度Ｔhfを上記しきい値温度Ｔspに比較する動作を行い、推定検出温度Ｔhfがしきい値温度Ｔspよりも低下し上記高温湯噴出の虞がないと判断されるまでポンプ駆動禁止信号の出力を継続して行う。燃焼制御部４０は、前記第１の実施形態例と同様に、上記ポンプ駆動禁止制御部４３により高温湯噴出の虞がなくなったと判断されるまで、循環ポンプ１８の駆動を延期し、つまり、高温湯噴出の虞がなくなったと判断されたときに循環ポンプ１８の駆動を開始させる。
【００４５】
第２の実施形態例によれば、追い焚き熱交換器１４内の湯温を推定検出する追い焚き熱交換器温度推定検出手段４４を設け、給湯単独運転が終了した直後に循環ポンプ１８の駆動指令が発せられたときには、追い焚き熱交換器温度推定検出手段４４により検出された追い焚き熱交換器１４内の推定湯温Ｔhfが高温湯噴出の虞がないと判断できるしきい値温度Ｔspよりも低下するまで、循環ポンプ１８の駆動を禁止するので、前記第１の実施形態例と同様に、浴槽１７への高温湯噴出の問題を確実に回避することができる。もちろん、この実施形態例においても、前記第１の実施形態例と同様に、給湯単独運転が終了した直後に循環ポンプ１８の駆動指令が発せられたときには、熱交換器湯温冷却制御部４１によって燃焼ファン２５の回転駆動が行われるので、追い焚き熱交換器１４の湯の冷却が促進され、循環ポンプ１８の駆動禁止時間の短縮を図ることができるという効果を奏することができる。
【００４６】
以下に、第３の実施形態例を説明する。この実施形態例において特徴的なことは、図２の破線に示すように、追い焚き熱交換器１４内の湯温を直接的に検出する追い焚き熱交換器温度検出手段としての追い焚き熱交温度センサ３８が設けられており、この追い焚き熱交温度センサ３８により検出された湯温に基づいて、ポンプ駆動禁止制御部４３が循環ポンプ１８の駆動禁止制御を行う構成としたことを特徴としている。それ以外の構成は前記各実施形態例と同様であり、その共通部分の重複説明は省略する。
【００４７】
ポンプ駆動禁止制御部４３には前記しきい値温度Ｔspが予め定め与えられており、ポンプ駆動禁止制御部４３は、追い焚き熱交温度センサ３８により検出される追い焚き熱交換器１４内の湯温を時々刻々と取り込み、追い焚き熱交温度センサ３８の検出湯温を取り込む度に、追い焚き熱交温度センサ３８の検出湯温を上記しきい値温度Ｔspに比較し、上記追い焚き熱交温度センサ３８の検出湯温がしきい値温度Ｔsp以上であるときには、浴槽１７への高温湯噴出の危険があると判断し、このように、高温湯噴出の危険があると判断されている状態で、給湯単独運転が終了した直後に循環ポンプ１８の駆動指令が発せられたときには、燃焼制御部４０へポンプ駆動禁止信号を出力し、燃焼制御部４０による循環ポンプ１８の駆動開始を延期させる。
【００４８】
そして、ポンプ駆動禁止制御部４３は、引き続き追い焚き熱交温度センサ３８の検出湯温を取り込み、追い焚き熱交温度センサ３８の検出湯温をしきい値温度Ｔspに比較して、追い焚き熱交温度センサ３８の検出湯温がしきい値温度Ｔspよりも低下するまでポンプ駆動禁止信号を継続して出力し、循環ポンプ１８の駆動待機状態を継続させる。つまり、追い焚き熱交温度センサ３８の検出湯温がしきい値温度Ｔspよりも低下したときに、浴槽１７への高温湯噴出の虞がないと判断され、循環ポンプ１８の駆動を開始させる。
【００４９】
この第３の実施形態例によれば、追い焚き熱交換器１４内の湯温を直接的に検出する追い焚き熱交温度センサ３８を設け、給湯単独運転が終了した直後に循環ポンプ１８の駆動指令が発せられたときには、上記追い焚き熱交温度センサ３８により検出される湯温に基づき、循環ポンプ１８の駆動禁止制御を行うので、追い焚き熱交換器１４内の湯温を推定検出する場合に比べて、より正確な追い焚き熱交換器１４内の湯温を検出することができ、給湯単独運転終了直後に循環ポンプ１８の駆動指令が発せられたときには、高温湯噴出の問題を回避できるのはもちろんのこと、より一層適切なタイミングで循環ポンプ１８の駆動を開始させることができる。
【００５０】
なお、この発明は上記各実施形態例に限定されるものではなく、様々な実施の形態を採り得る。例えば、上記第１又は第２の実施形態例では、給湯熱交サーミスタ３１により検出される湯温Ｔkoと追い焚き熱交サーミスタ３４により検出される湯温Ｔhoとの両方に基づき、ポンプ駆動禁止制御部４３による循環ポンプ１８の駆動禁止制御が行われたが、ポンプ駆動禁止制御部４３は、上記給湯熱交サーミスタ３１の検出湯温Ｔkoと追い焚き熱交サーミスタ３４の検出湯温Ｔhoのうちのどちらか一方の検出湯温だけに基づいて、循環ポンプ１８の禁止制御を行うようにしてもよい。
【００５１】
また、上記第１又は第２の実施形態例では、給湯熱交サーミスタ３１を給湯熱交換器温度検出手段とし、この給湯熱交サーミスタ３１により検出される湯温Ｔkoを利用して、ポンプ駆動禁止制御部４３は循環ポンプ１８の駆動禁止制御を行っていたが、図２の点線に示すように、給湯熱交換器１０内の湯温を検出する給湯熱交温度センサ３７を給湯熱交換器１０の中間位置（例えば、Ｕ字管）に設け、この給湯熱交温度センサ３７を給湯熱交換器温度検出手段として機能させ、ポンプ駆動禁止制御部４３は上記給湯熱交温度センサ３７により検出される湯温を利用して循環ポンプ１８の駆動禁止制御を行うようにしてもよい。
【００５２】
さらに、上記各実施形態例では、熱交換器湯温冷却制御部４１により燃焼ファン２５の駆動が行われるときには、ポストパージによる燃焼ファン２５の回転数（ファン風量）よりも多い回転数（ファン風量）でもって燃焼ファン２５を駆動させていたが、ポストパージ中のファン回転数（ファン風量）とほぼ等しいファン回転数（ファン風量）で燃焼ファン２５の回転駆動を行わせてもよい。この場合には、ファン送風による追い焚き熱交換器１４の冷却作用の効果は上記各実施形態例よりも劣ってしまうが、追い焚き熱交換器１４内の湯が高温湯噴出の虞がなくなる温度に低下するまで、ポンプ駆動禁止制御部４３によって循環ポンプ１８の駆動が禁止されているので、給湯単独運転終了直後の循環ポンプ１８の駆動に起因した高温湯噴出の問題を確実に回避することができる。
【００５３】
さらに、上記各実施形態例に示した制御構成に加えて、ポンプ駆動禁止制御部４３によって循環ポンプ１８の駆動が禁止されているときには浴槽１７への高温湯吐出を回避するために循環ポンプ１８の駆動が停止していることを報知する次に示すような報知手段をリモコン３６等に設けてもよい。例えば、報知手段は、ポンプ駆動禁止制御部４３により循環ポンプ１８が停止しているときに点灯するランプや、ポンプ駆動禁止制御部４３により循環ポンプ１８が停止していることを示す記号や文字を表示する表示部等により形成される。
【００５４】
さらに、上記各実施形態例は図２に示す一缶二水路風呂給湯器を例にして説明したが、この発明は、一缶二水路タイプの風呂給湯器であれば適用することができる。例えば、図２に示す一缶二水路風呂給湯器では、追い焚き熱交換器１４の出側に追い焚き熱交サーミスタ３４が設けられていたが、この発明は、追い焚き熱交サーミスタ３４が設けられていない一缶二水路給湯器にも適用することができ、この場合には、風呂温度センサ３３を追い焚き循環通路温度検出手段として機能させてもよいし、追い焚き側の湯温を使用せずに、給湯側の温度センサにより検出される温度だけを利用して、ポンプ駆動禁止制御部４３による循環ポンプ駆動禁止制御を行うようにしてもよい。また、上記図２に示す例では、循環ポンプ１８は追い焚き熱交換器１４の出側よりも下流側に設けられていたが、追い焚き熱交換器１４の入側の戻り管１５に循環ポンプ１８を設けてもよい。
【００５５】
【発明の効果】
この発明によれば、給湯単独運転が終了した直後に循環ポンプ駆動指令が発せられたときに、追い焚き循環通路温度検出手段により検出される湯温、又は、給湯熱交換器温度検出手段により検出される湯温、又は、追い焚き熱交換器内の温度を推定検出した湯温、又は、追い焚き熱交換器温度検出手段により直接的に検出された湯温に基づき、追い焚き熱交換器内の湯が浴槽への高温湯噴出の虞がない温度に低下したと判断されるまで、ポンプ駆動禁止制御部によって循環ポンプの駆動を禁止する構成にしたので、給湯単独運転に起因して高温に加熱された追い焚き熱交換器内の湯が、給湯単独運転の終了直後に循環ポンプの駆動によって浴槽へ噴出することはなく、給湯単独運転の終了直後に追い焚き熱交換器内の高温湯が浴槽へ噴出して入浴者に当たり火傷等の危害を与えるという問題を確実に回避することができる。
【００５６】
また、追い焚き熱交換器内の湯温を直接的又は間接的に検出し、この検出された湯温に基づき、ポンプ駆動禁止制御部による循環ポンプの駆動禁止制御が行われるので、給湯単独運転の終了後、高温湯噴出の虞がなくなったと判断できる温度まで追い焚き熱交換器内の湯が冷却したときに、つまり、追い焚き熱交換器内の湯が冷めていないのに循環ポンプの駆動禁止制御が終了して循環ポンプが駆動し、その追い焚き熱交換器内の高温の湯が浴槽へ噴出してしまったり、追い焚き熱交換器内の湯が十分冷却されているのに循環ポンプの駆動禁止制御が継続して行われ、無駄なポンプ駆動禁止時間が生じるという問題を回避できる適切なタイミングで循環ポンプの駆動禁止制御が終了し循環ポンプを駆動させることができる。
【００５７】
その上、この発明では、熱交換器湯温冷却制御部を設け、給湯単独運転が終了した直後に循環ポンプ駆動指令が発せられたときには、上記熱交換器湯温冷却制御部によって燃焼ファンが駆動するので、このファン通風によって、追い焚き熱交換器内の湯の冷却を促進することができ、給湯単独運転が終了してから、追い焚き熱交換器内の湯が高温湯噴出の虞がない温度に低下するまでの時間が短縮され、上記ポンプ駆動禁止制御部による循環ポンプ駆動禁止時間を短くすることができる。
【００５８】
ポンプ駆動禁止制御部により循環ポンプの駆動が禁止されているときには浴槽への高温湯吐出を回避するために循環ポンプが停止していることを報知する報知手段が設けられている構成を備えたものにあっては、例えば、一缶二水路風呂給湯器の利用者が追い焚き開始を指令したのにも拘らず循環ポンプ駆動が開始して追い焚きが開始されないと、利用者が循環ポンプ等の異常ではないかと危惧する虞があるが、上記の如く報知手段を設けて、ポンプ駆動禁止制御部により循環ポンプが停止しているのは浴槽への高温湯吐出を回避するためであり、異常でないはないことを報知手段によって報知することができ、利用者に不要な危惧を与えるのを回避することができる。
【図面の簡単な説明】
【図１】この発明に係る実施形態例を示すブロック構成図である。
【図２】一缶二水路風呂給湯器のモデル例を示す説明図である。
【符号の説明】
３  バーナ
１０  給湯熱交換器
１４  追い焚き熱交換器
１７  浴槽
１８  循環ポンプ
２１  追い焚き循環通路
２５  燃焼ファン
３１  給湯熱交サーミスタ
３４  追い焚き熱交サーミスタ
３７  給湯熱交温度センサ
３８  追い焚き熱交温度センサ
４１  熱交換器湯温冷却制御部
４３  ポンプ駆動禁止制御部
４４  追い焚き熱交換器温度推定検出手段
【図１】
0003859828.tif 000002
【図２】
0003859828.tif 000003